(57)【要約】再利用可能なデジタル・カメラは、ケーシングと、ケーシング内に収納されたレンズと、レンズから得た情報を、記憶装置に記憶するのに適したフォーマットとして符号化するように構成された符号化装置と、エンコーダからの情報を記憶するように構成された記憶装置と、符号化装置からの情報が記憶装置に記憶される前に情報を暗号化するように構成されたコントローラであって、さらに、要求に応じて記憶装置から情報を削除し、記憶装置にランダム情報を記録するように構成されたコントローラとを含む。2005510972.tif 000003
2005510972.tif 000002
【特許請求の範囲】
【請求項１】
ケーシングと、
ケーシング内に収納されたレンズと、
レンズから得た情報を、記憶装置に記憶するのに適したフォーマットとして符号化するように構成された符号化装置と、
エンコーダからの情報を記憶するように構成された記憶装置と、
符号化装置、記憶装置、およびコントローラに電力を供給するように構成された少なくとも1つの電源と、
符号化装置からの情報が記憶装置に記憶される前に情報を暗号化するように構成され、さらに、要求に応じて記憶装置から情報を削除し、記憶装置にランダム情報を記録するように構成されたコントローラと
を含む、再利用可能なデジタル・カメラ。
【請求項２】
コントローラが不正使用を検出するようにさらに構成されている、請求項1記載の再利用可能なデジタル・カメラ。
【請求項３】
不正使用が検出された場合に、コントローラが記憶装置を作動不能にするように構成されている、請求項2記載の再利用可能なデジタル・カメラ。
【請求項４】
画像モジュールおよびハウジングを囲むケーシングと、
レンズと、
画像ビューアと、
マイクロフォンと、
聴覚回路と、
レンズから得た情報を、記憶装置に記憶するのに適したフォーマットとして符号化するように構成された符号化装置とを含む、再利用可能なデジタル・カメラであって、
さらに、メモリ・モジュールを囲み、且つ
少なくとも1つの電源と、
エンコーダからの情報を記憶するように構成された記憶装置と、
符号化装置からの情報が記憶装置に記憶される前に情報を暗号化するように構成されたコントローラであって、さらに、要求に応じて記憶装置から情報を削除し、記憶装置にランダム情報を記録するように構成されたコントローラと
を収納するケーシングを含む、再利用可能なデジタル・カメラ。
【請求項５】
コントローラが不正使用を検出するようにさらに構成されている、請求項4記載の再利用可能なデジタル・カメラ。
【請求項６】
不正使用が検出された場合に、コントローラが記憶装置を作動不能にするように構成されている、請求項5記載の再利用可能なデジタル・カメラ。
【請求項７】
ケーシングと、
ケーシング内に収納されたレンズと、
レンズから得た情報を、記憶装置に記憶するのに適したフォーマットとして符号化するように構成された符号化装置と、
エンコーダからの情報を記憶するように構成された記憶装置と、メモリが画像で満たされるのを可能にし、次いで、他の画像が記憶装置上に記憶されるのを妨げ、所定の命令を受け取るまで記憶装置からの画像の削除を妨げるように構成されたコントローラと
を含む、再利用可能なデジタル・カメラ。
【請求項８】
各カメラがビデオ画像と静止画像の両方を記憶することができる、複数の使い捨てデジタル・カメラを含む、カメラ交換システムであって、
各カメラが、メモリに記憶されている画像を暗号化するコントローラと、
カメラ・メモリから画像を読み取り、画像を復号し、画像を必要な形式でユーザに供給するように構成された少なくとも1つの受取りステーションと、
少なくともカメラ・ケースを交換することによって使用済みのカメラを再利用する少なくとも1つの再利用ステーションと
を含む、カメラ交換システム。
【請求項９】
受取りステーションが画像を写真の形でユーザに提供する、請求項8記載のカメラ交換システム。
【請求項１０】
受取りステーションが画像をビデオとしてユーザに提供する、請求項8または9に記載のカメラ交換システム。
【請求項１１】
受取りステーションが画像をCDとしてユーザに提供する、請求項8から10のいずれか一項記載のカメラ交換システム。
【請求項１２】
受取りステーションが画像をDVDとしてユーザに提供する、請求項8から11のいずれか一項記載のカメラ交換システム。
【請求項１３】
受取りステーションが画像をeメールとしてユーザに提供する、請求項8から12のいずれか一項記載のカメラ交換システム。
【請求項１４】
受取りステーションが画像をウェブサイト上でユーザに提供する、請求項8から13のいずれか一項記載のカメラ交換システム。
【請求項１５】
再利用ステーションがカメラに新しい暗号化鍵を提供する、請求項8から14のいずれか一項記載のカメラ交換システム。
【請求項１６】
カメラによって使用される暗号化鍵が32ビット・ローリング暗号化鍵である、請求項8から15のいずれか一項記載のカメラ交換システム。
【請求項１７】
受取りステーションが、画像がユーザに提供された後カメラに記憶されている画像を削除するようにカメラに指示する、請求項8から16のいずれか一項記載のカメラ交換システム。
【請求項１８】
受取りステーションが、カメラがカメラに記憶されている画像を削除した後、カメラ・メモリに記憶されているあらゆるデータを上書きするようにカメラに指示する、請求項8から17のいずれか一項記載のカメラ交換システム。
【請求項１９】
ユーザが受取りステーションにカメラを提供した場合に、ユーザに払戻しが与えられる、請求項8から18のいずれか一項記載のカメラ交換システム。
【請求項２０】
カメラが不正使用を検出するように構成されたコントローラをさらに含む、請求項8から19のいずれか一項記載のカメラ交換システム。
【請求項２１】
不正使用が検出された場合に、コントローラが記憶装置を作動不能にするように構成されている、請求項20記載のカメラ交換システム。
【請求項２２】
再利用ステーションで、カメラのレンズが交換される、請求項8から21のいずれか一項記載のカメラ交換システム。
【請求項２３】
再利用ステーションで、カメラの電池が交換される、請求項8から22のいずれか一項記載のカメラ交換システム。
【請求項２４】
カメラ交換方法であって、
各カメラがビデオ画像と静止画像の両方を記憶することができ、各カメラがカメラのメモリに記憶されている画像を暗号化するように構成されたコントローラを含む、複数の使い捨てデジタル・カメラを提供する段階と、
カメラ・メモリから画像を読み取り、画像を復号し、画像を必要な形式でユーザに提供するように構成された受取りステーションで少なくとも1つのカメラを受け取る段階と、
再利用ステーションで少なくとも1つのカメラを再利用する段階と
を含む、カメラ交換方法。
【請求項２５】
受取りステーションが画像を写真の形でユーザに提供する、請求項24記載のカメラ交換方法。
【請求項２６】
受取りステーションが画像をビデオとしてユーザに提供する、請求項24または25に記載のカメラ交換方法。
【請求項２７】
受取りステーションが画像をCDとしてユーザに提供する、請求項24から26のいずれか一項記載のカメラ交換方法。
【請求項２８】
受取りステーションが画像をDVDとしてユーザに提供する、請求項24から27のいずれか一項記載のカメラ交換方法。
【請求項２９】
受取りステーションが画像をeメールとしてユーザに提供する、請求項24から28のいずれか一項記載のカメラ交換方法。
【請求項３０】
受取りステーションが画像をウェブサイト上でユーザに提供する、請求項24から29のいずれか一項記載のカメラ交換方法。
【請求項３１】
再利用ステーションがカメラに新しい暗号化鍵を提供する、請求項24から30のいずれか一項記載のカメラ交換方法。
【請求項３２】
カメラによって使用される暗号化鍵が32ビット・ローリング暗号化鍵である、請求項24から31のいずれか一項記載のカメラ交換方法。
【請求項３３】
受取りステーションが、画像がユーザに提供された後カメラに記憶されている画像を削除するようにカメラに指示する、請求項24から32のいずれか一項記載のカメラ交換方法。
【請求項３４】
受取りステーションが、カメラがカメラに記憶されている画像を削除した後、カメラ・メモリに記憶されているあらゆるデータを上書きするようにカメラに指示する、請求項24から33のいずれか一項記載のカメラ交換方法。
【請求項３５】
ユーザが受取りステーションにカメラを提供した場合に、ユーザに払戻しが与えられる、請求項24から34のいずれか一項記載のカメラ交換方法。
【請求項３６】
カメラが不正使用を検出するように構成されたコントローラをさらに含む、請求項24から35のいずれか一項記載のカメラ交換方法。
【請求項３７】
不正使用が検出された場合に、コントローラが記憶装置を作動不能にするように構成されている、請求項36記載のカメラ交換方法。
【請求項３８】
再利用ステーションで、カメラのレンズが交換される、請求項24から37のいずれか一項記載のカメラ交換方法。
【請求項３９】
再利用ステーションで、カメラの電池が交換される、請求項24から38のいずれか一項記載のカメラ交換方法。
【発明の詳細な説明】
【技術分野】
【０００１】
発明の分野
本発明はカメラに関し、特に、再利用可能な静止画像とビデオ画像の両方を撮ることのできるデジタル・カメラに関する。
【背景技術】
【０００２】
背景
デジタル・カメラは、レンズの後方に位置し、画像をいくつかのデジタル画素に変換する光学センサを利用する。このデジタル写真情報は次いで、適切な記憶媒体に記憶される。デジタル・ビデオ・カメラの場合、記憶媒体は通常、テープである。ただし、カメラによっては情報をディスク上に記憶するものもある。デジタル・スチル・カメラの場合、記憶媒体は電子メモリ、すなわち、通常、多くの場合メモリ・カードの形であり、場合によってはメモリ・スティックの形の、ある形態のランダム・アクセス・メモリである。たいていの場合、メモリ装置は、カードであるかメモリ・スティックであるかにかかわらず、取外し可能であり、他のデジタル装置に移すことができる。いかなる場合においても、これらのデジタル・カメラは高価であり、フィルム・ベースの従来のスチル・カメラまたは従来のアナログ・ビデオ・カメラと価格および性能を競っている。
【発明の開示】
【０００３】
発明の概要
本発明の目的は、再利用可能なデジタル・ビデオおよび／もしくはスチル・カメラを提供するか、または少なくとも大衆に有用な選択肢を提供することである。
【０００４】
広義には、一局面では、本発明は、ケーシングと、ケーシング内に収納されたレンズと、レンズから得た情報を、記憶装置に記憶するのに適したフォーマットとして符号化するように構成された符号化装置と、エンコーダからの情報を記憶するように構成された記憶装置と、符号化装置からの情報が記憶装置に記憶される前に情報を暗号化するように構成されるコントローラであって、さらに、要求に応じて記憶装置から情報を削除し、記憶装置にランダム情報を記録するように構成されたコントローラとを含む、再利用可能なデジタル・カメラを含む。
【０００５】
広義には、他の局面では、本発明は、レンズを収納する画像モジュールを囲むケーシングと、画像ビューアと、マイクロフォンと、聴覚回路と、レンズから得た情報を、記憶装置に記憶するのに適したフォーマットとして符号化するように構成された符号化装置とを含み、さらに、少なくとも1つの電源を収納するメモリ・モジュールを囲むケージングと、エンコーダからの情報を記憶するように構成された記憶装置と、符号化装置からの情報が記憶装置に記憶される前に情報を暗号化するように構成されたコントローラであって、さらに、要求に応じて記憶装置から情報を削除し、記憶装置にランダム情報を記録するように構成されたコントローラとを含み、メモリ・モジュールと画像モジュールが、画像を記憶するときに互いに通信する、再利用可能なデジタル・カメラを含む。
【０００６】
広義には、さらなる局面では、本発明は、ケーシングと、ケーシング内に収納されたレンズと、レンズから得た情報を、記憶装置に記憶するのに適したフォーマットとして符号化するように構成された符号化装置と、エンコーダからの情報を記憶するように構成された記憶装置と、メモリが画像で満たされるのを可能にし、次いで、他の画像が記憶装置上に記憶されるのを妨げ、所定の命令を受け取るまで記憶装置からの画像の削除を妨げるように構成されたコントローラとを含む、再利用可能なデジタル・カメラを含む。
【０００７】
広義には、さらなる局面では、本発明は、各カメラがビデオ画像と静止画像の両方を記憶することができ、各カメラが、メモリに記憶されている画像を暗号化するコントローラと、カメラ・メモリから画像を読み取り、画像を復号し、画像を必要な形式でユーザに供給するように構成された少なくとも1つの受取りステーションと、少なくともカメラ・ケースを交換することによって使用済みのカメラを再利用する少なくとも1つの再利用ステーションとを含む、複数の使い捨てデジタル・カメラを含む、カメラ・インゲージ・システムを含む。
【０００８】
広義には、さらなる局面では、本発明は、各カメラがビデオ画像と静止画像の両方を記憶することができ、各カメラが、カメラのメモリに記憶されている画像を暗号化するように構成されたコントローラを含む複数の使い捨てデジタル・カメラを提供する段階と、カメラ・メモリから画像を読み取り、画像を復号し、画像を必要な形式でユーザに提供するように構成された受取りステーションで少なくとも1つのカメラを受け取る段階と、再利用ステーションで少なくとも1つのカメラを再利用する段階とを含む、カメラ交換方法を含む。
【０００９】
本発明の好ましい形態のシステムおよび方法について、制限としてではなく一例として添付する図面を参照して、さらに説明する。
【００１０】
好ましい形態の詳細な説明
図1は、再利用可能なデジタル・カメラの一態様を示している。再利用可能なデジタル・カメラは、任意の適切な形状またはサイズであってよく、図1に示されている形状には制限されない。再利用可能なデジタル・カメラは、画像を画像センサ12上に投影するレンズ10を含んでいる。再利用可能なデジタル・カメラは、記録スイッチ14、デジタル記憶媒体13、電源11、およびコントローラ15をさらに含んでいる。
【００１１】
レンズ10は、長持ちするように設計する必要はなく、任意の適切な材料で形成することができる。たとえば、レンズはプラスチックで形成することができる。レンズは画像を画像センサ12上に投影する。画像センサは、記録スイッチ14が作動させられたときに画像のみを検知するように構成されている。記録スイッチ14が作動させられると、画像センサは、ビデオを形成する1回使用画像または一連の画像をレンズから検知し、この画像を記憶媒体に記憶するのに適したフォーマットとして符号化し、画像をデジタル記憶媒体13に転送する。コントローラ15は、画像が記憶媒体に記憶される前に画像を暗号化する。好ましくは、コントローラによって行われる暗号化は、32ビット・ローリング鍵暗号化である。しかし、他の種類の暗号化を使用してよい。理想的には、暗号化鍵は、カメラが再利用されるたびに交換される。
【００１２】
デジタル記憶媒体は、大量のデジタル情報を記憶できる、ランダム・アクセス・メモリ、読取り専用メモリ、または消去可能な読取り専用メモリなどの固体メモリ装置であることが好ましい。このようなメモリ装置だけでなく、バブル・メモリ、小形ハード装置、または他の種類のメモリ装置を使用することも可能である。しかし、固体メモリを使用することが好ましい。カメラに設けられる記憶媒体は、限られたサイズまたは限られた使用可能サイズであってよい。たとえば、記憶媒体は、640*480画素で毎秒30フレームの、15分間のビューと、1280*960画素の27個の静止画像とを記憶するように構成することができる。様々なサイズおよび様々な使用可能サイズの記憶媒体を使用することができる。
【００１３】
コントローラは、カメラに対する不正使用を検出し、不正使用が検出された場合に記憶媒体を使用不能にするようにさらに構成することができる。不正使用には、許可なしにカメラのハウジングを開けること、または許可なしに記憶媒体に記憶されている画像を読み取ることを含めてよい。
【００１４】
この態様では、メモリ装置は、電源と同様に、工場でカメラ内に完全に密封されており、したがって、顧客は、カメラを使い捨て装置として使用し、サービス・センターに戻し、サービス・センターによって画像を取り出し処理することができるようにする。サービス・センターは、ケーシングをこじ開けてデジタル記憶媒体をダウンロードし、次いで顧客によって選択された媒体に静止画像またはビデオを移す。典型的な場合には、顧客は、画像またはビデオをCDROMに焼き付けるよう要求することができ、次いでこの処理の代金を支払い、CDROMを自宅に持ち帰り、次いで顧客のコンピュータ上にインストールする。しかし、画像を処理し、eメールを介して電子的に送信するか、または顧客が、たとえば顧客によって供給されたパスワードを介してアクセスできるようにウェブサイト上にロードするか、または画像をDVDのようなある形態の他のメモリ装置で供給することも可能である。あるいは、静止画像を印刷されたハード・コピー写真として顧客に与えることができる。
【００１５】
あるいは、カメラは、カメラ・ケーシングを壊す必要なしにサービス・センターに接続してダウンロードするのを可能にする外部コネクタを有してよい。PIN構成は、それによって、顧客または「ハッカー」が画像を取り出しアクセスし、かつ／またはカメラを適格なサービス・センターに戻さずにデジタル記憶媒体を再利用するのがより困難になるような、カメラ供給業者およびサービス・センターに固有のものであってよい。
【００１６】
図2は、第2の種類のカメラを示しており、この構成では、ケーシングに交換可能な電源、おそらくシングル・セル1.5V電池を受け入れるように構成されている。通常2A（AA）電池は、その予想される寿命にわたって装置の十分な電力を供給することができる。カメラは取外し可能なメモリ・モジュールを有し、したがって、サービス・センターがモジュールを取り外し画像をダウンロードするのがより容易になる。取外し可能なメモリ・モジュールは、メモリ・モジュールが満杯になったときに顧客がメモリ・モジュールをドッキング・ステーションまたは適切なコネクタを介してコンピュータに接続するのを可能にする業界標準PIN接続を有することができる。代表的な例として、USBコネクタを用いて画像をコンピュータにダウンロードするのを可能にする。この場合、メモリ装置は、顧客によって消去することもリフレッシュすることもできない読取り専用装置であることが好ましい。記憶媒体に記憶されている画像が顧客によってダウンロード可能な場合、画像を暗号化されない形式で記憶することができ、コントローラが暗号鍵を含む必要はない。
【００１７】
他の態様では、カメラは、物理的な接続を含まず、誘導電源または他の無線電源によって導通することのできる組込みトランスポンダを有しており、したがって、サービス・センターは、メモリ装置を作動させることができ、かつメモリ装置が、デジタル情報を適切な受信器に送信し、好ましくは高周波数および高データ速度でサービス・センターによって保持されている受信器に送信するのを可能にすることができる。サービス・センターは、画像をダウンロードし、次いでカメラ・ケーシングを開ける必要なしに、メモリ装置から画像を電子的に消去することができる。好ましくは、顧客は、カメラをダウンロードするために、カメラを適格なサービス・センターに戻さなければならない。
【００１８】
いずれの場合にも、使い捨てカメラの販売またはリースは、メモリ装置が満杯になるまでの顧客のメモリ装置使用に制限し、次いで、顧客に、メモリ装置をサービス・センターに戻すことを勧める適切なライセンスを含む。顧客に、カメラをサービス・センターに戻してもらうために、顧客に返金可能な保証金またはその他の推奨金を与えることが可能であると考えられる。たとえば、カメラが戻されたときに顧客に部分的な払戻しを与えてよい。
【００１９】
図3は、レンズ、画像ビューア、マイクロフォン、および聴覚回路を含む取外し可能な撮像モジュール30を有するカメラを示している。メモリ・モジュール31は、メモリ装置、コントローラ、および電池を含んでいる。図3に示されているように、撮像モジュールとメモリ・モジュールは、インタフェース32で接続されている。このインタフェースは、1組のピンまたは他の任意の適切なインタフェースであってよい。他の構成要素には、撮像モジュールとメモリ・モジュールを分離できるように撮像モジュールをメモリ・モジュールに接続するケーブルが含まれる。たとえば、メモリ・モジュールはユーザのベルト上に装着することができる。他の態様では、撮像モジュールとメモリ・モジュールは無線通信することができる。この場合、撮像モジュールとメモリ・モジュールはどちらも無線トランシーバを含み、撮像モジュールは電池などの電源をさらに含む。
【００２０】
この態様では、メモリ・モジュールは、好ましくは、工場で密封され、限られた量の使用可能なメモリを含む。ユーザがメモリから画像を取り出したいとき、ユーザはメモリ・モジュールを再利用センターに戻さなければならない。再利用センターでは、ユーザに任意の適切な形態の画像が与えられ、メモリ・モジュールが再利用される。前述のように、コントローラおよびメモリ・モジュールは理想的には、撮像部によって与えられたデータを、メモリに記憶する前に暗号化する。様々なサイズおよび容量のメモリ・モジュールを様々なコストのレンズ・モジュールと一緒にユーザに与えることができる。
【００２１】
レンズ・モジュールも再利用可能であってよく、メモリ・モジュールと一緒に再利用可能であっても、別々に再利用可能であってもよい。ユーザが高品質レンズ・モジュールを購入し、レンズ・モジュールを再利用する前に多数のメモリ・モジュールを同じレンズ・モジュールと一緒に使用できるように、各レンズ・モジュールは異なる範囲のサイズおよび数量で供給することができる。これによって、それぞれの異なるレンズ品質およびそれぞれの異なるサイズのメモリを有する一連のデジタル・カメラを与えることができる。
【００２２】
図4は、本発明の再利用システムの第1の態様を示している。ユーザがデジタル・カメラを再利用センターに戻すと、ダウンロード装置42を用いてデジタル・カメラから画像がダウンロードされる。画像が暗号化されている場合、ダウンロード装置は画像を復号する。ダウンロード装置は、静止画像のコピーをプリンタ43に送り、静止画像44のコピーをユーザに与えることができる。
【００２３】
ダウンロード装置42は、静止画像とビデオ画像の両方をCD、DVD、またはその他の任意の適切なフォーマットとしてユーザに供給することもできる。ダウンロード装置42がCD、DVD、またはその他の任意の適切なメモリのフォーマットをユーザに供給する場合、DVD、CDなどがカットされ、CDまたはDVDが正しくカットされたことをダウンロード装置が検証した後、ダウンロード装置42は、カメラ41にカメラ・メモリを削除し、メモリをランダム情報で書き直すよう指示することができる。この場合、メモリおよびデジタル・カメラ41が書き直しされた後、カメラは再利用センターに送られ、段階46および段階47に示されているように再生される。
【００２４】
ユーザは、画像のCDまたはDVDおよびスチル・プリントに対して任意の処理を自由に実行する。他の態様では、ダウンロード装置が画像をユーザのeメール・アドレスに送信することができる。または、ダウンロード装置は、画像をウェブサイト上に乗せ、ユーザおよびユーザからパスワードを与えられている誰かがこのウェブサイトにアクセスできるようにユーザにパスワードを与えることができる。ユーザにCDまたはDVDが与えられた場合、ユーザはDVDをDVDプレーヤで操作するか、またはコンピュータを用いてCDまたはDVDを読み取ることができる。
【００２５】
理想的には、ユーザがカメラ41を小売店に戻すと、ユーザにカメラのコストの部分的な払戻しとして払戻しが与えられる。これによって、ユーザをカメラを小売業者に戻す気にさせることができる。
【００２６】
他の態様では、ユーザはカメラ自体から画像をダウンロードすることができるが、さらに画像をカメラ上に再記録することはできない。使用済みのデジタル・カメラの回収位置は、カメラが戻されたときに部分的な払戻しを与え、カメラを再び再利用センターに送り、再記録のために再販売できるように再利用することができる。
【００２７】
再利用センターでは、カメラのケーシングを交換することができる。レンズや電池のような他の使い捨て部品も交換することもでき、カメラを新しいハウジングに再実装することもできる。カメラが暗号化鍵を含んでいる場合、再利用センターはカメラに新しい暗号化鍵を与えることができる。カメラが読取り専用メモリまたはライト・ワンス・メモリを有する場合、メモリ上に新しい画像を記録することができるように、このメモリを再利用センターで消去しリセットすることができる。
【００２８】
図5は、本発明の第2の再利用システムを示している。図5に示されている再利用システムでは、カメラがある量の使用可能なメモリと一緒にユーザに与えられる。ユーザは画像をカメラからコンピュータにダウンロードし、必要に応じて画像を編集することができる。
【００２９】
カメラ51とコンピュータ52との間の接続は、たとえばUSB接続や他の任意の適切な接続によって実現することができる。
【００３０】
この態様では、カメラは、一旦書き込まれた後、メモリ・コントローラによってある指示が受け取られるまで再書込みができなくなるメモリを備えている。カメラを再使用する場合、ユーザはカメラを小売センターに持参し、小売センターでメモリをクリアしてもらうことができる。または、ユーザはウェブサイトにログオンし、メモリを消去するプログラムを注文することができる。ユーザが、プログラムの代金を支払った後ウェブサイト・オプションを選択した場合、プログラムがインタネットを介してユーザのコンピュータに供給され、ユーザは、コンピュータ52とカメラ51との間の接続を用いてプログラムをカメラ51にダウンロードすることができる。
【００３１】
一態様では、カメラ51は、USBポートを備えており、USB接続を介してコンピュータ52に接続されている。カメラ51は、コンピュータ上のフォト・システム、たとえば、AppleのI Photo Systemによって読み取ることのできる画像を記憶する。これによって、ユーザはデジタル・アルバム、コンタクト・シート、アーカイビング、および画像のストリームをインタネットを介して作成することができる。ユーザが正しい機器を有する場合、ユーザはCDまたはDVDに画像を書き込むこともできる。ユーザは、さらに画像を写真店に送って良好な品質のハード・コピーを得るか、または写真店に画像のCDを与えることができる。
【００３２】
好ましい形態を含む本発明について説明した。当業者に自明の変更態様および修正態様は、添付の特許請求の範囲に定義された範囲内に含まれる。
【図面の簡単な説明】
【００３３】
【図１】工場で密封された電源を有するカメラの概略図である。
【図２】取外し可能なメモリ・モジュールおよび取外し可能な電池を有する第2のカメラの概略図である。
【図３】取外し可能な撮像モジュールを有するカメラを示す。
【図４】本発明の1つの好ましい再利用システムを示す。
【図５】本発明の第2の好ましい再利用システムを示す。
【図１】
2005510972.tif 000004
【図２】
2005510972.tif 000005
【図３】
2005510972.tif 000006
【図４】
2005510972.tif 000007
【図５】
2005510972.tif 000008
【国際調査報告】
2005510972.tif 000009
2005510972.tif 000010
2005510972.tif 000011